(57)【要約】【目的】本発明は義乳房パッドサポート下着に関し、乳ガン手術によって乳房を切除した女性が複数のポケットに装着する大中小の義乳房用パッドと健常の乳房を違和感なくバランス良く整えられるようにした。【構成】上半身用肌着本体（１）の左右バスト位置の一方に健常バスト用窓穴（２）を形成すると共に上辺（２１）を直線状に形成し、且つ他方の切除手術したバスト位置にＡカップからＦカップ位までのサイズの義乳房パッド（Ｐ）を収納できる複数個のパッドポケット（３１）〜（３３）を肌着本体（１）の内側に配置し、且つその開口部（３′）を身体側に向けて設けると共に、当該ポケット開口縁辺（３ｎ′）・（３ｎ″）を重ね合わせて形成し、前記義乳房パッド収納ポケット部位の直上に肩紐（４）を設けた構成。【選択図】      図２
2004332134.tif 000002
【特許請求の範囲】
【請求項１】
上半身用肌着本体（１）の左右バスト位置の一方に健常バスト用窓穴（２）を形成すると共にその上辺（２１）を直線状に形成し、且つ他方の切除手術したバスト位置にＡカップからＦカップ位までのサイズの義乳房パッド（Ｐ）を収納できる複数個のパッドポケット（３１）〜（３３）を肌着本体（１）の内側に配置し、且つその開口部（３′）を身体側に向けて設けると共に、当該ポケット開口縁辺（３ｎ′）・（３ｎ″）を重ね合わせて形成し、前記義乳房パッド収納ポケット部位の直上に肩紐（４）を設けたことを特徴とする義乳房パッドサポート下着。
【請求項２】
上半身用肌着本体（１）の左右バスト位置の両方に切除手術したバストに対応するためのＡカップからＦカップ位までのサイズの義乳房パッド（Ｐ）を収納できる複数個のパッドポケット（３１）〜（３３）を肌着本体（１）の内側に配置し、且つその開口部（３′）を身体側に向けて設けると共に、当該ポケット開口縁辺（３ｎ′）・（３ｎ″）を重ね合わせて形成し、前記左右の義乳房パッド収納ポケット部位の直上に肩紐（４）を設けたことを特徴とする義乳房パッドサポート下着。
【請求項３】
上半身用肌着本体（１）の左右バスト位置の一方に健常バスト用窓穴（２）を形成すると共にその上辺（２１）を直線状に形成し、且つ他方の切除手術したバスト位置にＡカップからＦカップまでのサイズの義乳房パッド（Ｐ）を収納できる複数個のパッドポケット（３１）〜（３３）を肌着本体（１）の内側に配置し、且つその開口部（３′）を身体側に向けて設けると共に、当該ポケット開口縁辺（３ｎ′）・（３ｎ″）を重ね合わせて形成し、前記パッド収納ポケット側に肩袖（７）又は半袖（８）若しくは八分袖（９）を形成して肌着本体（１）と一体的に設けたことを特徴とする義乳房パッドサポート下着。
【請求項４】
上半身用肌着本体（１）の左右バスト位置の両方に切除手術したバストに対応するためのＡカップからＦカップ位までのサイズの義乳房パッド（Ｐ）を収納できる複数個のパッドポケット（３１）〜（３３）を肌着本体（１）の内側に配置し、且つその開口部（３′）を身体側に向けて設けると共に、当該ポケット開口縁辺（３ｎ′）・（３ｎ″）を重ね合わせて形成し、前記左右の義乳房パッド収納ポケット部位の直上に肩紐（４）を設け、そのパッドポケットの直下の鳩尾からウエスト部位に届く幅のベルト（５）を縫着して左右のウイング（５１）・（５２）の鈎針（６１）とループ（６２）から成る面ファスナー又はホックとホック受け部から成る止着具（６）を設けたことを特徴とする義乳房パッドサポート下着。
【請求項５】
肩袖（７）又は半袖（８）若しくは八分袖（９）を形成する２本一対の袖筒体（８１）・（８２）を吊り紐（１０）又は帯体（１２）で接続し、その袖筒体を肩紐（４）に潜らせて吊り紐（１０）又は帯体（１２）を二つに折り返して二重の肩袖（７）又は半袖（８）若しくは八分袖（９）を形成した請求項１又は請求２記載の義乳房パッドサポート下着。
【請求項６】
長さが異なる２本の袖筒体（８１）・（８２）を吊り紐（１０）又は帯体（１２）で接続し、その袖筒体を肩紐（４）に潜らせて吊り紐（１０）又は帯体（１２）を二つに折り返して二重と一重の肩袖又は半袖若しくは八分袖を形成した請求項１又は請求２記載の義乳房パッドサポート下着。
【発明の詳細な説明】
【０００１】
【発明が属する技術分野】
本発明は義乳房パッドサポート下着に関するもので、乳ガン手術によって乳房を切除した女性が下着に設けた複数のポケットに装着する大中小の義乳房用パッドによって健常の乳房と共に違和感なくバランス良く整えられるようにしたことを目的とする。
【０００２】
【従来の技術】
一般に乳ガン手術によって乳房を切除した女性のバストを健常のバストと変わらないように補整するブラジャーとして、例えば（１）実開平７−３３９１８号、（２）特開２０００−８２０４号、（３）実開昭６４−５１６１２号、（４）実開昭５９−２８００９号等が開示されている。これらによって、乳ガン手術による女性の悩みの解決に貢献が期待できる。
【０００３】
【発明が解決しようとする問題点】
ところが、前記従来の発明・考案にあっては切除した義乳房について
のパッドに関してはある程度対応されているが、健常のバストをつぶすような圧迫感なく自然の状態で活かし、且つこれと義乳房とのバランスの確保については必ずしも満足するものには至っていなかった。
【０００４】
【問題点を解決するための手段】
そこで本発明は従来の問題点を解決し、且つ発明の目的を達成するために提供するものである。
【０００５】
本発明の第１は義乳房パッドサポート下着において、上半身用肌着本体の左右バスト位置の一方に健常バスト用窓穴を形成すると共に上辺を直線状に形成し、且つ他方の切除手術したバスト位置にＡカップからＦカップ位までのサイズの義乳房パッドを収納できる複数個のパッドポケットを肌着本体の内側に配置し、且つその開口部を身体側に向けて設けると共に、当該ポケット開口縁辺を重ね合わせて形成し、前記義乳房パッド収納ポケット部位の直上に肩紐を設けたものである。
【０００６】
本発明の第２は乳房パッドサポート下着において、上半身用肌着本体の左右バスト位置の両方に切除手術したバストに対応するためのＡカップからＦカップ位までのサイズの義乳房パッドを収納できる複数個のパッドポケットを肌着本体の内側に配置し、且つその開口部を身体側に向けて設けると共に、当該ポケット開口縁辺を重ね合わせて形成し、前記左右の義乳房パッド収納ポケット部位の直上に肩紐を設けたものである。
【０００７】
本発明の第３は乳房パッドサポート下着において、上半身用肌着本体の左右バスト位置の一方に健常バスト用窓穴を形成すると共に上辺を直線状に形成し、且つ他方の切除手術したバスト位置にＡカップからＦカップまでのサイズの義乳房パッドを収納できる複数個のパッドポケットを肌着本体の内側に配置し、且つその開口部を身体側に向けて設けると共に、当該ポケット開口縁辺を重ね合わせて形成し、前記パッド収納ポケット側に肩袖又は半袖若しくは八分袖を形成して肌着本体と一体的に設けたことを特徴とする義乳房パッドサポート下着。
【０００８】
本発明の第４は乳房パッドサポート下着において、上半身用肌着本体の左右バスト位置の両方に切除手術したバストに対応するためのＡカップからＦカップ位までのサイズの義乳房パッドを収納できる複数個のパッドポケットを肌着本体の内側に配置し、且つその開口部を身体側に向けて設けると共に、当該ポケット開口縁辺を重ね合わせて形成し、前記左右の義乳房パッド収納ポケット部位の直上に肩紐を設け、そのパッドポケットの直下の鳩尾からウエスト部位に届く高さのベルトを縫着して左右のウイングの鈎針とループから成る面ファスナー又はホックとホック受け部から成る止着具を設けたものである。
【０００９】
本発明の第５は第１の発明又は第２の発明に係る義乳房パッドサポート下着において、肩袖又は半袖若しくは八分袖を形成する２本一対の袖筒体を吊り紐又は帯体で接続し、その袖筒体を肩紐に潜らせて吊り紐又は帯体を二つに折り返して二重の肩袖又は半袖若しくは八分袖を形成したものである。
【００１０】
本発明の第６は第１の発明又は第２の発明に係る乳房パッドサポート下着において、長さが異なる２本の袖筒体を吊り紐又は帯体で接続し、その袖筒体を肩紐に潜らせて吊り紐又は帯体を二つに折り返して二重と一重肩袖又は半袖若しくは八分袖を形成したものである
【００１１】
【実施例】
本発明の実施例を図面に即して説明する。図１〜図９において、１は上半身用肌着本体であり、柔軟で伸縮可能な布地を用いるものとする。２は肌着本体１の両方のバスト位置の一方又は両方をカットして形成した健常バスト用窓穴であり、その上辺２１を多少傾斜した直線状に形成してある。３は肌着本体１において、本来のバスト位置に切除手術に対応するＡカップからＦカップ位までのサイズの義乳房パッドＰを収納できるよう設けた複数個のパッドポケットであり、大・中・小の３種類に分けたポケット３１〜３３を円形又は非円形の弧状に形成し、その開口部３′を身体側に向けると共に、当該開口部における左右又は上下の縁辺を３ｎ′・３ｎ″を１〜２ｃｍ程で重なり合う重ね部ｄを形成して成り、これを当該肌着本体１の内側に一部３ｍを残して縫着してある。前記ポケット３の一部３ｍはパッドポケット３の傾斜上辺を直線状に形成した非縫着部を示している。４は肌着本体１において、前記義乳房パッド収納ポケット側に設けた肩紐を示す。
【００１２】
図１０において、５は肌着本体１の鳩尾（みぞおち）からウエスト部位に届くベルトであり、肌着本体１の背中から脇部にかけて縫着し、且つ正面部おける左右のウイング５１・５２をフリーにして上下に重ね合わせて鈎６１とループ６２から成る面ファスナー又はホックとホック受け等の止着具６で掛止するようになっている。
【００１３】
図１１〜図１３において、７は肌着本体１の肩部位に設けた肩袖、８はその肩袖に延長して設けた二の腕にかかる半袖、９は半袖に延長して設けた肘から手首近くに至る八分袖である。
【００１４】
図１４〜図２４において、１０は肩袖７又は半袖８若しくは八分袖９以上の長さから成る単一の袖筒８１又は２本一対の袖筒８１・８２を肩紐４に掛止する吊り紐である。１１は一端を単一の袖筒８１に接続した吊り紐１０を二つ折りして肩紐４に掛止するためのホック１１１とホック受け部１１２から成る止め具、１２は前記２本一対の袖筒８１・８２を一体に繋ぐ帯体であり、その左右両辺を伸縮性ギャザー１３が形成されている。
【００１５】
【具体的な使用例】
図１及び図２において、右側の乳房を切除手術した女性が肌着本体１を着用した場合、正面に向かって左側のバスト位置の窓穴２に健常バストを挿通して表側に突き出た状態を保持する。同時に右側の乳房切除部位には、ＡからＦサイズ位までの義乳房パッドＰから健常乳房の大きさ合わせて選択し、これを大・中・小の大きさのパッドポケット３１・３２・３３のうち、適合するパッドポケットに左右に重なり合っている縦状の開口３′の左右縁辺３ｎ′・３ｎ″を開いて中に収容して義乳房パッドＰと健常バストの大きさを合わせる。
【００１６】
図７〜図９において、肌着本体１のバスト部位両側に義乳房パッドポケット３を設けてあることにより、両方の乳房を切除手術したバスト部位において、ＡからＦサイズ位までの義乳房パッドＰの中から自分にあったパッドを選択して左右の大中小３種のバストポケット３１〜３３に装入して肌着本体１を着用する。
【００１７】
そして、胸元は真っ直ぐにして深めにかがんでも胸元が浮きにくくする。また、自分のバストも入る両用のため、大のパッドポケット３も平らではなく普通のブラジャーのようにバスト型になる。この場合、肌着本体１の左右にパッドポケット３を設けるために、作業がしやすいように横方向に設けられている開口部３′の縁辺３ｎ′・３ｎ″を上下方向に開いて義乳房パッドＰを出し入れする。特にバストアップのサポートはしていないので肌着本体１の着用者はいわゆるノーブラ感覚を与える。
【００１８】
図１０においては、ブラジャーは着けたくはないが、サポートは少し欲しいときに、肌着本体１を着用してそのバスト部よりも下方すなわち、鳩尾からウエストまでを、ベルト５のウィング５１・５２で正面の中央部を重ね合わせた後、止着具６（６１・６２）を介してバストのずり上がりを防いでサポートしている。
【００１９】
図１１において、肌着本体１のパッドポケット３側の肩部に設けた肩袖７により、乳房の切除手術後にその手術した方の肩のしびれや痛みにバストポケット３と肩袖７と一体化してそのしびれや痛みを和らげてサポートする。
【００２０】
図１２において、肌着本体１のパッドポケット３側の肩袖部位から二の腕にかけて設けた半袖８を、乳房の切除手術後にその手術した方の肩及び二の腕にとおして肩や二の腕のしびれや痛みを和らげてサポートする。
【００２１】
図１３において、肌着本体１のパッドポケット３側の肩袖部位・半袖部位から手首近くにかけて設けた八分袖９により、乳房の切除手術後に手術した方の肩及び二の腕及び肘を含んで手首近くまでとおして、その肩及び二の腕及び肘の痛みを和らげてサポートする。
【００２２】
図１４から図２４にあっては、肌着本体１と肩袖・半袖・長袖を分離して使用するものであり、図１４・図１５は肩部と二の腕をサポートするものであるが、その肩部をサポートする肩当て片７１を肌着本体１の肩紐４に潜らしてから折り返すことによって肩袖７を肩紐４に掛止して肩部の痛みやしびれを和らげてサポートする。
【００２３】
図１６及び図１７は、筒形の袖筒８を吊り紐１０で接続したものであり、紐体１０を肌着本体１の肩紐４に潜らせて折り返し、その先端を袖筒８１・８２に結合して二の腕をサポートしている。図１８は袖筒８の吊り紐１０を二つ折りしないで先端部を肩紐４に繋いで二の腕又はその二の腕より肘を含む下の方の腕をサポートしている。
【００２４】
図１９及び図２０にあっては、吊り紐１０で繋いだ２本一対の袖筒８１・８２の一方を肩紐４に潜らせて紐体全長の中程から折り返し、その袖筒同士を嵌合して二重の半袖にして二の腕を覆うことによってサポートする。
【００２５】
図２１〜図２４は比較的長い袖筒８１・８２の中央部位をカットして一重の帯体１２を形成し、その帯体を肩紐４に掛止しながら折り返して袖筒同士を嵌合して二重袖を形成して二の腕を覆ってサポートする。なお、前記帯体の折り返し位置をずらすか、又は２本の袖筒８１・８２の長さを変えることによって、嵌合した袖筒を二重と一重の部位が形成され、肩や腕の痛みやしびれの度合いに対応するようにしている。
【００２６】
【発明の効果】
本発明は上記の構成であるから、片方又は両方の乳房を切除した女性がサイズが異なる複数の複数のポケットに装入した大中小の義乳房用パッドによって健常の乳房と違和感なくバランス良く整えられるようにすることができる。
【００２７】
そして、健常バストは肌着本体に窓孔を形成することによって、押圧したり、潰したりする圧迫感を与えることがなく、しかも窓穴上辺の直線状部によって乳房に適度の密着感が保持されて装着感が良好である。
【００２８】
さらに、肌着と一体又は分離して設けた肩袖又は半袖若しくは八分袖によって、義乳房によるバストの補整と共に乳房の切除手術後の肩や腕のしびれや痛みを和らげることができる。
【図面の簡単な説明】
【図１】本発明に係る左右の一方にパッドポケットを有する義乳房パッドを具備した肌着本体の正面図である。
【図２】図１の肌着本体の正面を内側からみた状態図である。
【図３】バッドポケットの正面図である。
【図４】バッドポケットの開口を少し開いた状態の正面図である。
【図５】図３の５−５線に沿う断面図である。
【図６】パッドポケットにパッドを装入した図４の６−６線に沿う断面図である。
【図７】左右両方にパッドポケットを設けた肌着本体の正面を内側から見た状態図である。
【図８】図７における片方のパッドポケット正面を内側から見たパッドポケットの正面図である。
【図９】図８の９−９線に沿う断面図である。
【図１０】鳩尾とウエスト部位にベルトを設けた肌着本体の正面図である。
【図１１】パッドポケットと肩袖を設けた肌着本体の正面図である。
【図１２】パッドポケットと肩袖付き半袖を設けた肌着本体の正面図である。
【図１３】パッドポケットと肩袖付き八分袖を設けた肌着本体の正面図である。
【図１４】肩当て付き肩袖用袖筒の斜視図である。
【図１５】図１４の肩当て片を折り返した肩袖の正面図である。
【図１６】吊り紐付き半袖用袖筒の斜視図である。
【図１７】図１６の袖筒の吊り紐を肌着本体の肩紐に掛止して半袖を形成した斜視図である。
【図１８】袖筒の吊り紐を肩紐に掛止しながら折り返して半袖を形成した斜視図である。
【図１９】吊り紐で繋いだ２本一対の半袖用袖筒の斜視図である。
【図２０】図１９の吊り紐を肩紐に掛止しながら二つ折りして内外二重の半袖を形成した斜視図である。
【図２１】中央部にギャザー付き帯体で２本一対の半袖用袖筒を繋いだ斜視図である。
【図２２】図２０の袖筒を繋ぐ吊り紐を二つ折りして内外二重の袖筒を形成した斜視図である。
【図２３】吊り紐で繋いだ一対の袖筒の長さを変えた状態の斜視図である。
【図２４】図２３の折り返した袖筒を内外に嵌合して二重と一重の袖筒を形成した斜視図である。
【符号の説明】
１……肌着本体
２……窓穴
３……パッドポケット
４……肩紐
５……ベルト
６……止着具
７……肩袖
８……半袖
９……八分袖
１０……吊り紐
１１……吊り紐の止着具
１２……帯体
１３……ギャザー
【図１】
2004332134.tif 000003
【図２】
2004332134.tif 000004
【図３】
2004332134.tif 000005
【図４】
2004332134.tif 000006
【図５】
2004332134.tif 000007
【図６】
2004332134.tif 000008
【図７】
2004332134.tif 000009
【図８】
2004332134.tif 000010
【図９】
2004332134.tif 000011
【図１０】
2004332134.tif 000012
【図１１】
2004332134.tif 000013
【図１２】
2004332134.tif 000014
【図１３】
2004332134.tif 000015
【図１４】
2004332134.tif 000016
【図１５】
2004332134.tif 000017
【図１６】
2004332134.tif 000018
【図１７】
2004332134.tif 000019
【図１８】
2004332134.tif 000020
【図１９】
2004332134.tif 000021
【図２０】
2004332134.tif 000022
【図２１】
2004332134.tif 000023
【図２２】
2004332134.tif 000024
【図２３】
2004332134.tif 000025
【図２４】
2004332134.tif 000026